【手続補正書】
【提出日】令和2年7月10日(2020.7.10)
【手続補正１】
【補正対象書類名】明細書
【補正対象項目名】００２９
【補正方法】変更
【補正の内容】
【００２９】
接続部１０７は、映像ケーブル６０を介して映像出力装置と接続するためのインターフェースであり、映像出力装置から映像信号、音声信号、制御信号などを入力する。接続部１０７は、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子等を含む。また、接続部１０７は、アナログ映像信号を受信した場合には、受信したアナログ映像信号をデジタル映像信号に変換し、画像処理部１０９に送信する。
【手続補正２】
【補正対象書類名】明細書
【補正対象項目名】００４４
【補正方法】変更
【補正の内容】
【００４４】
また、第１から第３の各投影装置１００ａ、１００ｂ、１００ｃでは、初期状態では図４に示すようなグループＩＤが設定されていない個別制御用の第１のＷＥＢページ４００を配信するＷＥＢサーバプログラムが実行されているものとする。ユーザは、情報処理装置２００のＷＥＢブラウザにおいて各投影装置１００ａ、１００ｂ、１００ｃから配信されるＷＥＢページを操作することで、各投影装置１００ａ、１００、１００ｃに対して各種制御処理を実行可能であるものとする。
【手続補正３】
【補正対象書類名】明細書
【補正対象項目名】００５２
【補正方法】変更
【補正の内容】
【００５２】
ここで、図４および図５を参照して、初期状態で配信されている第１のＷＥＢページ４００およびＳ３０２で生成または更新される第２のＷＥＢページ５００について詳細に説明する。
【手続補正４】
【補正対象書類名】明細書
【補正対象項目名】００５３
【補正方法】変更
【補正の内容】
【００５３】
図４は、初期状態で各投影装置から配信される第１のＷＥＢページ４００を例示している。図４において、領域４０１はＷＥＢページの配信元の装置の名称（本例では、ＰＪ１００ｃ）、グループＩＤ（本例では、未設定）を含む。領域４０２は、投影装置において設定可能な項目および設定値を含む。領域４０２は、上から順に「投影ランプの入・切」を制御可能なボタン、表示対象の「映像信号インターフェース」を選択するドロップダウンリスト、「明るさ」、「コントラスト」、「シャープネス」などを変更可能なスライダーバーなどを含む。
【手続補正５】
【補正対象書類名】明細書
【補正対象項目名】００５４
【補正方法】変更
【補正の内容】
【００５４】
ユーザが情報処理装置２００のＷＥＢブラウザにおいて第１のＷＥＢページ４００の領域４０２のいずれかの項目を操作した場合には、当該操作に応じた設定変更を要求するＨＴＴＰリクエストがＷＥＢページ配信元（制御対象）の投影装置に送信される。
【手続補正６】
【補正対象書類名】明細書
【補正対象項目名】００５５
【補正方法】変更
【補正の内容】
【００５５】
図５（ａ）〜（ｃ）は、同一のグループに属する投影装置のいずれかから配信される第２のＷＥＢページ５００を例示している。図５（ａ）〜（ｃ）において、領域５０１はＷＥＢページを配信元の装置と同一のグループＩＤを有する全ての投影装置の名称（本例では、ＰＪ１００ａとＰＪ１００ｂ）、グループＩＤ（本例では、「Ｇｒｏｕｐ−Ａ」）を含む。タブ５０２は、制御対象の投影装置を選択可能なタブである。領域５０３は図４の第１の第１のＷＥＢページの領域４０２と同様に、投影装置において設定可能な項目および設定値を含む。
【手続補正７】
【補正対象書類名】明細書
【補正対象項目名】００５６
【補正方法】変更
【補正の内容】
【００５６】
図５（ａ）は、情報処理装置２００のＷＥＢブラウザにおいて第２のＷＥＢページ５００のタブ５０２で「Ａｌｌ」が選択されている状態を例示している。図５（ａ）の第２のＷＥＢページ５００において、領域５０３のいずれかの設定項目が操作されると、同一のグループＩＤを有する全ての投影装置（本例では、第１の投影装置１００ａと第２の投影装置１００ｂ）において当該操作に応じた制御処理を実行するＨＴＴＰリクエストが第２のＷＥＢページ５００の配信元の第１の投影装置１００ａに送信される。第１の投影装置１００ａは、自装置で実行したものと同様の制御処理を実行するＨＴＴＰリクエストを、同一のグループの全て投影装置を制御対象として生成し、送信する。
【手続補正８】
【補正対象書類名】明細書
【補正対象項目名】００５７
【補正方法】変更
【補正の内容】
【００５７】
図５（ｂ）は、情報処理装置２００のＷＥＢブラウザにおいて第２のＷＥＢページ５００のタブ５０２で第１の投影装置１００ａが選択されている状態を例示している。図５（ｂ）の第２のＷＥＢページ５００において、領域５０３のいずれかの設定項目が操作されると、制御対象の投影装置（本例では、第１の投影装置１００ａ）において当該操作に応じた制御処理を実行するＨＴＴＰリクエストが第１の投影装置１００ａに送信される。
【手続補正９】
【補正対象書類名】明細書
【補正対象項目名】００５８
【補正方法】変更
【補正の内容】
【００５８】
図５（ｃ）は、情報処理装置２００のＷＥＢブラウザにおいて第２のＷＥＢページ５００のタブ５０２で第２の投影装置１００ｂが選択されている状態を例示している。図５（ｃ）の第２のＷＥＢページ５００において、領域５０３のいずれかの設定項目が操作されると、制御対象の投影装置（本例では、第２の投影装置１００ｂ）において当該操作に応じた制御処理を実行するＨＴＴＰリクエストが第２のＷＥＢページ５００の配信元の第１の投影装置１００ａに送信される。第１の投影装置１００ａは、当該操作に応じた制御処理を実行するＨＴＴＰリクエストを、第２の投影装置１００ｂを制御対象として生成し、送信する。
【手続補正１０】
【補正対象書類名】明細書
【補正対象項目名】００５９
【補正方法】変更
【補正の内容】
【００５９】
なお、本実施形態では第１の投影装置１００ａが配信するＷＥＢページとして、第２のＷＥＢページ５００を例示したが、第１の投影装置１００ａと同一のグループＩＤを有する第２の投影装置１００ｂが配信するＷＥＢページでも同様である。
【手続補正１１】
【補正対象書類名】明細書
【補正対象項目名】００６０
【補正方法】変更
【補正の内容】
【００６０】
このように、ユーザが情報処理装置２００のＷＥＢブラウザにおいて図４に示す第１のＷＥＢページ４００を操作することで、第１のＷＥＢページ４００の配信元の投影装置にＨＴＴＰリクエストを発行し、個別に制御することができる。
【手続補正１２】
【補正対象書類名】明細書
【補正対象項目名】００６１
【補正方法】変更
【補正の内容】
【００６１】
また、図５（ａ）〜（ｃ）に示す第２のＷＥＢページ５００では、配信元の投影装置だけでなく、配信元の投影装置と同一のグループＩＤを有する全ての投影装置にＨＴＴＰリクエストを発行し、一括して制御することができる。
【手続補正１３】
【補正対象書類名】明細書
【補正対象項目名】００６３
【補正方法】変更
【補正の内容】
【００６３】
Ｓ３０６では、制御部１０８は、Ｓ３１６で受信したＨＴＴＰリクエストを解析する。解析の結果、制御部１０８は、制御対象の投影装置が第１の投影装置１００ａと同一のグループＩＤを有する全ての投影装置（第１の投影装置１００ａと第２の投影装置１００ｂ）であった場合はＳ３０７へ進む。また、制御対象が配信元の投影装置（第１の投影装置１００ａ）であった場合はＳ３０８へ進む。また、制御対象が他の投影装置（第２の投影装置１００ｂ）であった場合はＳ３０９へ進む。Ｓ３０４において第１の投影装置１００ａが配信した第２のＷＥＢページを一例として説明すると、図５（ａ）に示すように情報処理装置２００のＷＥＢブラウザにおいて第２のＷＥＢページ５００のタブ５０２で「Ａｌｌ」が選択された場合はＳ３０７へ進む。図５（ｂ）に示すように情報処理装置２００のＷＥＢブラウザにおいて第２のＷＥＢページ５００のタブ５０２で第１の投影装置１００ａが選択された状態で領域５０３のいずれかの設定項目が操作された場合はＳ３０８へ進む。図５（ｃ）に示すように情報処理装置２００のＷＥＢブラウザにおいて第２のＷＥＢページ５００のタブ５０２で第２の投影装置１００ｂが選択された状態で領域５０３のいずれかの設定項目が操作された場合はＳ３０９へ進む。
【手続補正１４】
【補正対象書類名】明細書
【補正対象項目名】００８０
【補正方法】変更
【補正の内容】
【００８０】
なお、第１の投影装置１００ａは、同一のグループＩＤを有する新たな投影装置を発見した場合には、図５（ａ）〜（ｃ）に示す第２のＷＥＢページ５００の領域５０１に新たに発見した投影装置の名称を設定し、タブ５０２に新たに発見した投影装置を制御対象として選択可能な選択肢を追加するように、Ｓ３０２において第２のＷＥＢページを更新してもよい。